(57)【特許請求の範囲】
【請求項１】
複数の制御チャンネルを含む制御情報を用いて照明機器を制御する制御装置であって、
前記照明機器が有する機能を制御するための複数の前記制御チャンネルに関する情報を受け付ける受付部と；
前記受付部によって受け付けられた情報に基づいて、前記機能に対応する出力値を調整するための操作部の各々に、当該機能に対応する前記制御チャンネルを割り当てる割当部と；
を具備し、
前記受付部は、
前記割当部によって各々の操作部に割り当てられた制御チャンネルの変更要求を受け付け、
前記割当部は、
前記受付部によって前記変更要求が受け付けられた場合に、所定の操作部に割り当てられた制御チャンネルが、当該所定の操作部の次の順序の操作部に割り当てられるように、制御チャンネルを新たな各々の操作部に割り当てるとともに、特定の操作部について制御チャンネルを変更しない設定を受けている場合には、当該特定の操作部に割り当てられた制御チャンネルについては変更せず、当該特定の操作部に新たに割り当てるべき制御チャンネルについては、当該特定の操作部の次の順序の操作部に割り当てる
ことを特徴とする制御装置。
【請求項２】
複数の制御チャンネルを含む制御情報を用いて照明機器を制御する制御装置であって、
前記照明機器が有する機能を制御するための複数の前記制御チャンネルに関する情報として、当該制御チャンネルによって制御される機能に関する情報であって、前記照明機器の明かりの強さ情報、当該照明機器の色情報、及び当該照明機器の動作情報の少なくとも一つの情報を受け付ける受付部と；  
前記受付部によって受け付けられた情報に基づいて、前記機能に対応する出力値を調整するための操作部の各々に、当該機能に対応する前記制御チャンネルを割り当てる割当部と；
を具備し、
前記受付部は、
前記割当部によって各々の操作部に割り当てられた制御チャンネルの変更要求を受け付け、
前記割当部は、
前記受付部によって前記変更要求が受け付けられた場合に、所定の操作部に割り当てられた制御チャンネルが、当該所定の操作部の次の順序の操作部に割り当てられるように、制御チャンネルを新たな各々の操作部に割り当てるとともに、特定の操作部について制御チャンネルを変更しない設定を受けている場合には、当該特定の操作部に割り当てられた制御チャンネルについては変更せず、当該特定の操作部に新たに割り当てるべき制御チャンネルについては、当該特定の操作部の次の順序の操作部に割り当てる
ことを特徴とする制御装置。
【請求項３】
前記操作部と、前記割当部によって当該操作部に割り当てられた前記制御チャンネルとの対応付けを示す情報である設定情報を登録する登録部；
を具備し、
前記受付部は、前記登録部によって登録された設定情報の読み出し要求を受け付け、
前記割当部は、前記受付部によって受け付けられた読み出し要求に基づいて読み出された設定情報に基づいて、前記操作部に前記制御チャンネルを割り当てる
ことを特徴とする請求項１または２に記載の制御装置。
【請求項４】
前記登録部は、複数の前記制御チャンネルによって制御される各々の機能に関する情報を組み合わせて、一つのチャンネルとして制御することが可能なチャンネルである仮想制御チャンネルを登録し、
前記割当部は、前記操作部に、前記登録部によって登録された仮想制御チャンネルを割り当てる
ことを特徴とする請求項３に記載の制御装置。
【請求項５】
前記登録部は、複数の前記制御チャンネルによって制御される各々の機能に関する情報の組み合わせとして、前記制御チャンネルによって制御される色情報を組合せることにより、所定の色調整を行った色情報を登録し、
前記割当部は、前記操作部に、前記登録部によって登録された色情報に対応する制御情報を出力するための仮想制御チャンネルを割り当てる
ことを特徴とする請求項４に記載の制御装置。
【発明の詳細な説明】
【技術分野】
【０００１】
本発明の実施形態は、制御装置に関する。
【背景技術】
【０００２】
従来、スタジオや舞台等では、制御装置からの遠隔操作に従って照明機器を制御する照明システムが導入されている。このような照明システムの制御装置は、スタジオや舞台等に設置された照明機器が出力する光の強さや色彩を示す数値やグラフ等の操作情報を表示する。このような操作情報を参照し、制御装置を操作する操作者は、照明機器の調光や調色を行う。
【先行技術文献】
【非特許文献】
【０００３】
【非特許文献１】“LICSTAR-IV  TypeJ  |  調光機器  |  アートライティング｜東芝エルティーエンジニアリング(株)”、［online］、［平成２８年４月２０日検索］、インターネット＜http://www.lte.co.jp/art/catalogue/console/licstar4j.htm＞
【発明の概要】
【発明が解決しようとする課題】
【０００４】
しかしながら、照明機器が多機能化、多様化することにより、照明機器と制御装置との間で送受信される情報が増加することで、制御装置の操作性に影響を与えることが問題となっている。例えば、制御装置は、照明機器ごとに設定された制御チャンネルをプリセットフェーダに割り当てることで照明機器を制御する。だが、割り当てる制御チャンネルの数が増加することにより、制御装置が備えるプリセットフェーダの数が物理的に不足する事態が起こり得る。また、操作するプリセットフェーダが増加することで、操作者がプリセットフェーダに割り当てられた機材や機能を認識し辛くなるという問題がある。
【０００５】
本発明が解決しようとする課題は、操作者の操作性を向上させることができる制御装置を提供することである。
【課題を解決するための手段】
【０００６】
実施形態の一例に係る制御装置であって、複数の制御チャンネルを含む制御情報を用いて照明機器を制御する制御装置は、照明機器が有する機能を制御するための複数の前記制御チャンネルに関する情報を受け付ける受付部と、前記受付部によって受け付けられた情報に基づいて、前記機能に対応する出力値を調整するための操作部の各々に、当該機能に対応する制御チャンネルを割り当てる割当部と、を具備することを特徴とする。
【発明の効果】
【０００７】
実施形態の一例に係る制御装置によれば、操作者の操作性を向上させることができる。
【図面の簡単な説明】
【０００８】
【図１】図１は、第１の実施形態に係る制御装置の一例を示す図（１）である。
【図２】図２は、第１の実施形態に係る制御装置の一例を示す図（２）である。
【図３】図３は、第１の実施形態に係る照明システムの構成例を示すブロック図である。
【図４】図４は、第１の実施形態に係る制御装置の機能構成の一例を示すブロック図である。
【図５】図５は、第１の実施形態に係るチャンネル情報記憶部に登録される情報の一例を示す図である。
【図６】図６は、第１の実施形態に係るチャンネル割当記憶部に登録される情報の一例を示す図である。
【図７】図７は、第１の実施形態に係る制御装置の一例を示す図（３）である。
【図８】図８は、第１の実施形態に係る制御装置の処理の一例を説明するフローチャートである。
【図９】図９は、第２の実施形態に係る処理の一例を示す概念図である。
【図１０】図１０は、第２の実施形態に係る制御装置の機能構成の一例を示すブロック図である。
【図１１】図１１は、第２の実施形態に係る色情報記憶部に登録される情報の一例を示す図である。
【図１２】図１２は、第２の実施形態に係るチャンネル割当記憶部に登録される情報の一例を示す図である。
【図１３】図１３は、第２の実施形態に係る処理の一例を説明する図（１）である。
【図１４】図１４は、第２の実施形態に係る処理の一例を説明する図（２）である。
【図１５】図１５は、第２の実施形態に係る処理の一例を説明する図（３）である。
【図１６】図１６は、第２の実施形態に係る制御装置の処理の一例を説明するフローチャート（１）である。
【図１７】図１７は、第２の実施形態に係る制御装置の処理の一例を説明するフローチャート（２）である。
【発明を実施するための形態】
【０００９】
以下、図面を参照して、各実施形態に係る制御装置を説明する。各実施形態において同一の機能を有する構成には同一の符号を付し、重複する説明は省略する。なお、以下の各実施形態で説明する制御装置は、一例を示すに過ぎず、実施形態を限定するものではない。例えば、以下の各実施形態では、制御装置は、照明機器以外にも、任意の舞台装置の制御にも適用することができる。なお、以下の各実施形態は、矛盾しない範囲内で適宜組みあわせてもよい。
【００１０】
以下の実施形態に係る制御装置１００であって、複数の制御チャンネルを含む制御情報を用いて照明機器を制御する制御装置１００は、受付部１５１と、割当部１５２とを有する。受付部１５１は、照明機器が有する機能を制御するための複数の制御チャンネルに関する情報を受け付ける。割当部１５２は、受付部１５１によって受け付けられた情報に基づいて、機能に対応する出力値を調整するための操作部の各々に、当該機能に対応する制御チャンネルを割り当てる。
【００１１】
また、以下の実施形態に係る制御装置１００は、制御チャンネルに関する情報として、制御チャンネルによって制御される機能に関する情報であって、照明機器の明かりの強さ情報、照明機器の色情報、及び照明機器の動作情報の少なくとも一つの情報を受け付ける。また、制御装置１００は、操作部の各々に、受け付けられた機能の少なくとも一つに対応する制御チャンネルを割り当てる。
【００１２】
また、以下の実施形態に係る制御装置１００は、各々の操作部に割り当てられた制御チャンネルの変更要求を受け付ける。また、制御装置１００は、変更要求が受け付けられた場合に、所定の操作部に割り当てられた制御チャンネルが、当該所定の操作部の次の順序の操作部に割り当てるように、制御チャンネルを新たな各々の操作部に割り当てる。
【００１３】
また、以下の実施形態に係る制御装置１００は、変更要求が受け付けられた場合に、特定の操作部について制御チャンネルを変更しない設定を受けている場合には、特定の操作部に割り当てられた制御チャンネルについては変更せず、特定の操作部に新たに割り当てるべき制御チャンネルについては、特定の操作部の次の順序の操作部に割り当てる。
【００１４】
また、以下の実施形態に係る制御装置１００は、操作部と、割当部によって操作部に割り当てられた制御チャンネルとの対応付けを示す情報である設定情報を登録する登録部１５３をさらに具備する。また、制御装置１００は、登録された設定情報の読み出し要求を受け付ける。また、制御装置１００は、受け付けられた読み出し要求に基づいて読み出された設定情報に基づいて、操作部に制御チャンネルを割り当てる。
【００１５】
また、以下の実施形態に係る制御装置１００は、複数の制御チャンネルによって制御される各々の機能に関する情報を組み合わせて、一つのチャンネルとして制御することが可能なチャンネルである仮想制御チャンネルを登録する。また、制御装置１００は、操作部に、登録された仮想制御チャンネルを割り当てる。
【００１６】
また、以下の実施形態に係る制御装置１００は、複数の制御チャンネルによって制御される各々の機能に関する情報の組み合わせとして、制御チャンネルによって制御される色情報を組合せることにより、所定の色調整を行った色情報を登録する。また、制御装置１００は、操作部に、登録された色情報に対応する制御情報を出力するための仮想制御チャンネルを割り当てる。
【００１７】
［第１の実施形態］
以下、実施形態に係る制御装置の一例として、照明システム１に含まれる制御装置１００の一例について説明する。図１は、第１の実施形態に係る制御装置１００の一例を示す図（１）である。図１では、照明システム１において、制御装置１００が照明機器ＰＡＲ０１及びＰＡＲ０２を制御する一例を示す。
【００１８】
制御装置１００は、複数の照明機器ＰＡＲ０１及びＰＡＲ０２を制御する制御装置である。なお、制御装置１００が制御する照明機器の数は、図１に示した例に限られない。すなわち、制御装置１００は、照明機器ＰＡＲ０１及びＰＡＲ０２に限らず、任意の数の照明機器を制御対象としてよい。
【００１９】
照明機器ＰＡＲ０１及びＰＡＲ０２は、例えばＬＥＤ（Light  Emitting  Diodes）等の半導体発光素子やハロゲンランプ等を光源とする照明機器であり、例えば、スポットライト、ホリゾントライト、フラッドライト等といった照明機器である。照明機器ＰＡＲ０１及びＰＡＲ０２は、バトン（図示省略）等により所定の位置に吊り下げられたり、所定の位置に置かれたりして用いられる。
【００２０】
ここで、照明機器ＰＡＲ０１及びＰＡＲ０２は、ＤＭＸ５１２（以下、単に「ＤＭＸ」と表記する）といった所定の規格に沿った制御を受付ける照明機器である。そして、照明機器ＰＡＲ０１及びＰＡＲ０２は、制御装置１００からの制御に従って、照明する光の照度、色彩、照明範囲等を変化させる調光処理を行うことで、スタジオや舞台等の照明演出を行う。
【００２１】
制御装置１００は、オペレータ（操作者）からの操作に従って、複数の照明機器を制御する制御装置であり、例えば、操作卓や調光卓と呼ばれる装置である。具体的には、制御装置１００は、各照明機器に設定されるＤＭＸアドレスによって、各照明機器を特定する。そして、制御装置１００は、各照明機器の機能を制御するための制御チャンネルであるＤＭＸチャンネル（以下、単に「チャンネル」と表記する場合がある）と、チャンネルに出力する値を制御するための操作部とを対応付ける。
【００２２】
なお、チャンネルの数値は、ＤＭＸアドレスとしても機能し、例えば、照明機器に設定されるＤＭＸアドレスが、当該照明機器に設定されるＤＭＸの最初のチャンネルとして認識される（ＤＭＸアドレスに対応するＤＭＸチャンネルは、スタートアドレス等と呼ばれる）。制御装置１００は、チャンネル毎の出力値を含む制御情報を照明機器に送信することで、ＤＭＸアドレスで特定される照明機器の制御を行うことができる。
【００２３】
図１に示すように、制御装置１００は、表示部１３０と操作部１４０とを有する。表示部１３０は、例えば液晶ディスプレイであり、制御装置１００が制御する各種情報や、制御装置１００に制御された照明機器の状態を表示する。操作部１４０は、例えば制御装置１００の筐体外側の一部に配置された、照明機器を制御するためにオペレータが操作する複数のスイッチやボタンによって構成される。実施形態では、操作部１４０には、複数のプリセットフェーダ（Preset  Fader、以下、単に「フェーダ」と表記する場合がある）が含まれる。
【００２４】
各フェーダには、対応するチャンネルが設定される。すなわち、各フェーダは、対応するチャンネルに関する信号（言い換えれば、照明機器に対する制御情報）を調整する機能を有する。例えば、オペレータによってフェーダが最上部の位置に操作された場合には、当該フェーダに対応するチャンネルへの信号が１００％で出力される。このように、制御装置１００は、フェーダ操作に伴って、照明機器に出力する信号の出力を調整する。
【００２５】
ここで、フェーダと照明機器との関係について説明する。例えば、上記した照明機器ＰＡＲ０１及びＰＡＲ０２の制御には、複数のチャンネルに対応する信号が用いられるものとする。例えば、照明機器ＰＡＲ０１及びＰＡＲ０２は、色情報や、操作情報等を与えるための複数のチャンネルによって制御される。
【００２６】
図１の例では、照明機器ＰＡＲ０１及びＰＡＲ０２は、色情報として、Ｒ（Red）、Ｇ（Green）、Ｂ（Blue）、Ｗ（White）といった、各色の強さを設定するための４つのチャンネルを有する。また、照明機器ＰＡＲ０１及びＰＡＲ０２は、操作情報として、レンズの焦点位置を定めるＺ（Zoom）というチャンネルを１つ有する。すなわち、図１の例では、照明機器ＰＡＲ０１及びＰＡＲ０２は、各々５つのチャンネルを用いて、制御装置１００に制御されるものとする。なお、照明機器ＰＡＲ０１及びＰＡＲ０２は、その他にも、操作情報であるＳ（Strobe）や、Ｃ（Curve）等の情報を受信するためのチャンネルや、総合的な明かりの強さを示す情報であるＩ（Intensity）を受信するためのチャンネルを有していてもよい。
【００２７】
例えば、制御装置１００に係るフェーダＦ０１が、照明機器ＰＡＲ０１のＲの色情報を調整するチャンネルに対応するフェーダとして設定されているとする。この場合、オペレータがフェーダＦ０１を操作して、フェーダＦ０１に対応する信号の出力を上げると、照明機器ＰＡＲ０１は、Ｒの値を増加させる信号を制御装置１００から受信することになる。
【００２８】
通常、制御装置１００を用いて照明機器を制御する場合、制御装置１００の各フェーダに、対応するチャンネルが順に割り振られる。例えば、制御のために５種類のチャンネルを要する照明機器ＰＡＲ０１のＤＭＸアドレスが「１」に設定されているとする。この場合、制御装置１００は、ＤＭＸアドレス「１」をスタートアドレスとして照明機器ＰＡＲ０１を特定するととともに、チャンネル「１」から「５」を、照明機器ＰＡＲ０１を制御するためのチャンネルとして取り扱う。なお、制御装置１００に係るフェーダＦ０１は、チャンネル「１」に対応するものとする。
【００２９】
この場合、照明機器ＰＡＲ０１を制御するためのチャンネルは、フェーダＦ０１〜Ｆ０５に、順に割り当てられることになる。具体的には、フェーダＦ０１には、照明機器ＰＡＲ０１の色情報Ｒを制御するためのチャンネル１が割り当てられる。同様に、フェーダＦ０２には、照明機器ＰＡＲ０１の色情報Ｇを制御するためのチャンネル２が割り当てら、フェーダＦ０３には、照明機器ＰＡＲ０１の色情報Ｂを制御するためのチャンネル３が割り当てられ、フェーダＦ０４には、照明機器ＰＡＲ０１の色情報Ｗを制御するためのチャンネル４が割り当てられ、フェーダＦ０５には、照明機器ＰＡＲ０１の操作情報Ｚを制御するためのチャンネル５が、それぞれ割り当てられる。
【００３０】
このように、個々のフェーダで制御するチャンネルが順に割り当てられる場合、例えば１００チャンネル分の制御を行うためには、１００本のフェーダが必要となる。また、ＬＥＤ照明機器のように、個々の明かりの色情報や操作情報を制御可能な照明機器は、制御に用いられるチャンネル数が比較的多くなる。このため、照明を制御する装置によっては、十分な数の照明機器の制御を行うためのフェーダが足りなくなったり、あるいは、非常に多くのフェーダを制御装置に備えたりする必要が生じる。しかし、フェーダの数が増加すると、フェーダを設置するための面積が大きくなるため、オペレータの操作性に影響を与える可能性がある。また、フェーダの数が増加すると、フェーダに対応付けられている照明機器や各機能がわかりにくくなるという事態も想定される。
【００３１】
そこで、制御装置１００は、以下の制御処理を実行する。まず、制御装置１００は、制御装置１００で制御可能な照明機器の情報を取得する。そして、制御装置１００は、取得した照明機器を制御するチャンネルを、任意にフェーダに割り当てる。そして、制御装置１００は、フェーダに割り当てたチャンネルに対応する照明機器や機能を登録する。これにより、制御装置１００は、オペレータが所望するように、操作する照明機器や機能をそれぞれのフェーダに割り当てることができる。
【００３２】
上記の処理について、図１を用いて説明する。図１に示すように、制御装置１００は、操作部１４０の一部に、フェーダに割り当てられたチャンネル情報を表示するためのフェーダ用表示部１４５を有する。フェーダ用表示部１４５には、チャンネル表示部１４１と、機能表示部１４２とが含まれる。チャンネル表示部１４１には、例えば、フェーダに対応するチャンネル番号と、照明機器の識別情報とが表示される。また、機能表示部１４２には、フェーダに対応する機能と、フェーダの出力値が表示される。
【００３３】
そして、制御装置１００は、各々のフェーダに割り当てるチャンネルをオペレータが自在に変更できるように、各フェーダにチャンネル情報を割り当てる。初期状態では、制御装置１００は、チャンネル１から順に、各チャンネルを各フェーダに割り当てているものとする。この場合、図１のチャンネル表示部１４１に表示されるように、チャンネル１がフェーダＦ０１に対応する。なお、図１の機能表示部１４２に表示されるように、チャンネル１は、照明機器ＰＡＲ０１の色情報Ｒを制御するためのチャンネルである。
【００３４】
ここで、制御装置１００は、オペレータから、各フェーダに割り当てるチャンネルの変更を受け付ける。例えば、制御装置１００は、オペレータから、各フェーダに割り当てるチャンネルを、一つだけずらす操作を受け付けたとする（ステップＳ０１）。
【００３５】
当該操作を受け付けた場合、制御装置１００は、各フェーダに割り当てられているチャンネルを一つだけずらす割り当て処理を行う。すなわち、制御装置１００は、フェーダＦ０１にチャンネル２を割り当てる。同様に、制御装置１００は、フェーダＦ０２にチャンネル３を割り当てる。このように、制御装置１００は、オペレータが所望するように、各フェーダに対応するチャンネルを自在に変更することができる。
【００３６】
例えば、図１では、チャンネル２を割り当てられたフェーダＦ０１は、照明機器ＰＡＲ０１のＧという色情報を出力するためのフェーダへと変更される。また、チャンネル３を割り当てられたフェーダＦ０２は、照明機器ＰＡＲ０１のＢという色情報を出力するためのフェーダへと変更される。このように、制御装置１００は、フェーダの配置を変えることなく、内部処理としてフェーダに割り当てるチャンネルを変更することができる。
【００３７】
なお、制御装置１００は、フェーダに割り当てるチャンネルの変更要求を受けた場合であっても、特定のフェーダについてはチャンネルを変更しないといった設定を受け付けていてもよい。すなわち、制御装置１００は、予め特定のフェーダで操作するチャンネルをロック（固定）するような設定を受け付けておく。そして、制御装置１００は、フェーダに割り当てるチャンネルの変更要求があった場合には、特定のフェーダに関して割り当てる予定のチャンネルをスキップさせ、特定のフェーダの次のフェーダに、当該チャンネルを割り当てるような処理を行ってもよい。このように、制御装置１００は、オペレータの要求に応えて、柔軟な割当処理を行うようにしてもよい。
【００３８】
すなわち、制御装置１００は、フェーダに割り当てるチャンネルを任意に変更することができるため、従来よりも少ない数のフェーダであっても、多彩な操作を行うことができる。この点について、図２を用いて説明する。図２は、第１の実施形態に係る制御装置１００の一例を示す図（２）である。
【００３９】
例えば、図２の上図は、制御装置１００が、フェーダＦ０１にチャンネル１を割り当てている状態を示している。ここで、制御装置１００は、オペレータから、各照明機器の機能のうち、ズーム機能（表示は「Ｚ」に対応する）のみを操作する旨の指定を受け付けたとする（ステップＳ０２）。
【００４０】
この場合、制御装置１００は、各フェーダに、ズーム機能に対応する「Ｚ」の機能を有するチャンネルのみを割り当てる。図２の下図は、制御装置１００が、各フェーダに「Ｚ」の機能を有するチャンネルのみを割り当てた状態を示している。
【００４１】
具体的には、制御装置１００は、照明機器ＰＡＲ０１のＺチャンネルに対応するチャンネル５をフェーダＦ０１に割り当てる。また、制御装置１００は、照明機器ＰＡＲ０２のＺチャンネルに対応するチャンネル１０をフェーダＦ０２に割り当てる。このような制御により、各フェーダには、各照明機器の「Ｚ」の機能に対応するチャンネルのみが割り当てられる。この場合、オペレータは、１０本のフェーダのみで、１０個の照明機器のズーム機能をそれぞれ操作することができる。
【００４２】
なお、制御装置１００は、チャンネルに関する情報として、照明機器ＰＡＲ０１のＺ機能に対応するチャンネル番号が「５」であるという情報を予め受け付け、登録している。同様に、制御装置１００は、照明機器ＰＡＲ０２のＺ機能に対応するチャンネル番号が「１０」であるという情報を登録している。同様に、制御装置１００は、照明機器ＰＡＲ０３以降のＺ機能に対応する各々のチャンネル番号を登録している。そして、制御装置１００は、オペレータがＺ機能のみを操作するためにＺ機能の読み出しを要求した場合に、予め登録されたチャンネル情報から、Ｚ機能が割り当てられているチャンネル番号を特定する。そして、制御装置１００は、各フェーダにＺ機能が割り当てられているチャンネルを順に割り当てる。これにより、制御装置１００は、Ｚ機能のみを各フェーダに割り当てるといった処理を行うことが可能となる。
【００４３】
なお、図２で示した処理は一例であり、制御装置１００は、各フェーダに、各照明機器の各機能に対応するチャンネルを自在に割り当てることができる。例えば、制御装置１００は、ＲＧＢのうち、Ｒの色情報を変化させる機能を有するチャンネルのみを各フェーダに割り当てたりしてもよいし、Ｇの色情報を変化させる機能を有するチャンネルのみを各フェーダに割り当てたりしてもよい。
【００４４】
このように、制御装置１００は、チャンネルをフェーダに自在に割り当てる制御処理を行うことで、オペレータの所望するような操作環境を提供し、オペレータの操作性を向上させる。
【００４５】
以下、上述してきたような制御を行う制御装置１００、及び、制御装置１００を含むシステムである照明システム１について、詳細に説明する。
【００４６】
〔照明システムの構成例〕
次に、図３を用いて、第１の実施形態に係る照明システム１の構成の一例を説明する。図３は、実施形態に係る照明システム１の構成例を示すブロック図である。例えば、図３に示す例では、照明システム１は、複数の照明機器ＰＡＲ０１及びＰＡＲ０２、ＤＭＸノード２０、制御装置１００、制御子機３００を有する。また、ＤＭＸノード２０は、通信制御部２１と、ポート２２ａ〜２２ｄを有する。なお、以下の説明では、ポート２２ａ〜２２ｄを「ポート２２」と総称する場合がある。
【００４７】
なお、照明システム１が含む照明機器や、ＤＭＸノードの数は、図３に示した例に限られない。例えば、図３では、制御装置１００と一つのＤＭＸノード２０とを接続する例について記載したが、実施形態はこれに限定されるものではなく、任意の数のＤＭＸノードが制御装置１００に接続されていてよい。また、図３に示す例では、ＤＭＸノード２０にそれぞれ４つのポート２２を設置する例について記載したが、実施形態は、これに限定されるものではなく、任意の数のポート２２が設置されていてよい。
【００４８】
図３に示す例では、制御装置１００とＤＭＸノード２０とは、例えばイーサネット（登録商標）やＬＡＮ（Local  Area  Network）等の所定のネットワークにより通信可能に接続される。また、ＤＭＸノード２０と、照明機器ＰＡＲ０１及びＰＡＲ０２との間は、例えば、ＤＭＸ５１２を拡張したＲＤＭ（Remote  Device  Management)といった双方向通信が可能な規格により接続される。
【００４９】
上述のように、照明機器ＰＡＲ０１及びＰＡＲ０２には、ＤＭＸアドレスのような制御アドレスが設定される。そして、照明機器ＰＡＲ０１及びＰＡＲ０２は、ＤＭＸノード２０からＤＭＸ規格に沿った制御信号を受信すると、受信した制御信号が示す制御アドレスが自装置の制御アドレスであるか否かを判定し、自装置の制御アドレスである場合は、受信した制御信号に従って、調光処理を実行する。
【００５０】
ＤＭＸノード２０は、制御装置１００と照明機器ＰＡＲ０１及びＰＡＲ０２との間の通信を中継する中継装置である。例えば、ＤＭＸノード２０は、ＤＭＸ規格に沿ったインタフェースを用いて照明機器ＰＡＲ０１及びＰＡＲ０２を接続可能な、複数のポート２２を有する。そして、ＤＭＸノード２０は、イーサネット等のネットワークを介して、制御装置１００から制御対象となる照明機器ＰＡＲ０１及びＰＡＲ０２の制御アドレスと、照明機器ＰＡＲ０１及びＰＡＲ０２の制御内容とを示す制御情報を受信する。このような場合、ＤＭＸノード２０は、受信した制御情報をＤＭＸの規格に沿った制御信号に変換し、変換後の制御信号を照明機器ＰＡＲ０１及びＰＡＲ０２へと出力する。
【００５１】
例えば、通信制御部２１は、各ポート２２ａ、２２ｄを介して、照明機器ＰＡＲ０１及びＰＡＲ０２と接続されている。そして、通信制御部２１は、例えば、照明機器ＰＡＲ０１に設定された制御アドレスと、照明機器ＰＡＲ０１の制御内容とを示す制御情報を制御信号に変換し、制御信号をポート２２ａから出力することで、照明機器ＰＡＲ０１を制御する。
【００５２】
なお、通信制御部２１は、上述した処理以外にも、ＤＭＸの規格やＲＤＭの規格に沿った照明機器の制御を行う機能を有してもよい。例えば、通信制御部２１は、制御装置１００からの送信要求を受信すると、各ポート２２ａ〜２２ｄを介して、各照明機器の識別子であるＵＩＤ（Unique  Identifier）を取得する。また、通信制御部２１は、照明機器ＰＡＲ０１又はＰＡＲ０２の識別子であるＵＩＤと、照明機器ＰＡＲ０１又はＰＡＲ０２が接続されたポート２２ａ、２２ｄを識別するポートＩＤとを対応付けた接続情報を制御装置１００に送信する。このような接続情報は、後述するように、各照明機器ＰＡＲ０１及びＰＡＲ０２が接続された位置を表示する表示処理において用いられる情報となる。
【００５３】
制御装置１００は、オペレータによる操作に従って、各照明機器を制御する。例えば、制御装置１００は、オペレータがフェーダＦ０１を操作した場合は、フェーダＦ０１と対応する照明機器の制御アドレス（チャンネル）と、操作内容に応じた制御内容とを含む制御情報をＤＭＸノード２０に送信する。この結果、制御装置１００は、オペレータの操作に従って、各照明機器を制御することができる。
【００５４】
また、制御装置１００は、ＤＭＸノード２０から接続情報を受信すると、受信した接続情報を用いて、各照明機器の接続位置を特定する。例えば、制御装置１００は、各ＤＭＸノード２０が設置された舞台上の位置を示す設置位置情報をあらかじめ記憶している。そして、制御装置１００は、ＤＭＸノード２０から照明機器の接続情報を受信すると、設置位置情報に基づいて、ＤＭＸノード２０が設置された位置を特定し、特定された位置に照明機器が設置されている旨を表示する。
【００５５】
例えば、制御装置１００は、ＤＭＸノード２０が所定のバトンに設置されている旨の設置位置情報をあらかじめ記憶している。また、制御装置１００は、ＤＭＸノード２０から各照明機器の接続情報を受信すると、接続情報の送信元となるＤＭＸノード２０が設置されているバトンを設置位置情報から特定し、特定されたバトンに照明機器が設置されている旨の情報を表示する。
【００５６】
また、制御装置１００は、例えば、特定したバトンの位置と、そのバトンに設置された照明機器ＰＡＲ０１、ＰＡＲ０２とをリスト形式で表示する。また、制御装置１００は、後述するように、舞台やスタジオに配置されたバトンの位置を模式的に示す画面を表示するとともに、照明機器ＰＡＲ０１、ＰＡＲ０２を示すアイコンを、特定したバトンのアイコンと重ねて表示してもよい。
【００５７】
また、制御装置１００は、照明機器が接続されたポート２２を示す情報を表示してもよい。例えば、制御装置１００は、受信した接続情報から、照明機器ＰＡＲ０１、ＰＡＲ０２が接続されたＤＭＸノード２０の各ポート２２ａ、２２ｄを特定し、特定したポート２２ａ、２２ｄを示す情報を表示してもよい。より具体的には、制御装置１００は、ＤＭＸノード２０が設置されたバトンを示すアイコンの左端に、ポート２２ａに接続された照明機器ＰＡＲ０１を示すアイコンを配置し、ＤＭＸノード２０が設置されたバトンを示すアイコンの右端に、ポート２２ｄに接続された照明機器ＰＡＲ０２を示すアイコンを配置してもよい。
【００５８】
制御子機３００は、制御装置１００と同様の機能を発揮することができる端末装置であり、例えば、制御装置１００との間で無線通信が可能なタブレット等により実現される。例えば、制御子機３００は、制御装置１００と同様に、照明機器を制御するための画面を表示するとともに、オペレータによる操作を受付けると、受付けた操作内容を制御装置１００に通知する。通知を受けた制御装置１００は、制御情報をＤＭＸノード２０に送信し、各照明機器の制御を実現する。
【００５９】
〔制御装置の構成例〕
続いて、図４を用いて、第１の実施形態に係る制御装置１００の機能構成の一例を説明する。図４は、第１の実施形態に係る制御装置の機能構成の一例を示すブロック図である。図４に示す例では、制御装置１００は、通信部１１０、記憶部１２０、表示部１３０、操作部１４０、制御部１５０を有する。
【００６０】
通信部１１０は、例えば、所定の通信回路等によって実現される。例えば、通信部１１０は、イーサネットやＬＡＮ等のネットワークを介して、ＤＭＸノード２０との間の通信を中継する。また、通信部１１０は、無線ＬＡＮ等のネットワークを介して、制御子機３００との間の通信を中継する。
【００６１】
記憶部１２０は、例えば、ＲＡＭ（Random  Access  Memory）、フラッシュメモリ（Flash  Memory）等の半導体メモリ素子、または、ハードディスク、光ディスク等の記憶装置によって実現される。図４に示すように、第１の実施形態に係る記憶部１２０は、チャンネル情報記憶部１２１と、チャンネル割当記憶部１２２とを含む。
【００６２】
チャンネル情報記憶部１２１には、照明機器を制御するチャンネルに関する情報が記憶される。ここで、図５に、第１の実施形態に係るチャンネル情報記憶部１２１の一例を示す。図５は、第１の実施形態に係るチャンネル情報記憶部１２１に登録される情報の一例を示す図である。図５に示すように、チャンネル情報記憶部１２１に登録される情報には、「ＤＭＸチャンネル」、「照明機器」、「機能」といった項目が含まれる。
【００６３】
「ＤＭＸチャンネル」は、ＤＭＸノード２０に送信される制御情報を識別するチャンネルの数値を示す。なお、ＤＭＸチャンネルは、ＤＭＸ規格に基づく制御のためのＤＭＸアドレスと読み替えてもよい。「照明機器」は、ＤＭＸチャンネルに対応する照明機器を示す。「機能」は、ＤＭＸチャンネルに対応する照明機器を制御する機能の種別を示す。
【００６４】
すなわち、図５に示す例では、ＤＭＸチャンネルが「１」であるチャンネルは、照明機器「ＰＡＲ０１」を制御するチャンネルであり、「Ｒ」の色調整を行う機能を制御するチャンネルであることを示している。なお、チャンネル情報記憶部１２１には、照明機器の制御に関する他の情報が含まれていてもよい。
【００６５】
次に、チャンネル割当記憶部１２２について説明する。図６に、第１の実施形態に係るチャンネル割当記憶部１２２の一例を示す。図６は、第１の実施形態に係るチャンネル割当記憶部１２２に登録される情報の一例を示す図である。図６に示すように、チャンネル割当記憶部１２２に登録される情報には、「フェーダＩＤ」、「割当チャンネル」といった項目が含まれる。
【００６６】
「フェーダＩＤ」は、フェーダを識別する識別情報を示す。実施形態においては、フェーダＩＤは、フェーダの参照符号と一致するものとする。例えば、フェーダＦ０１のフェーダＩＤは、「Ｆ０１」である。「割当チャンネル」は、フェーダに割り当てられたチャンネルの数値を示す。
【００６７】
すなわち、図６に示す例では、フェーダＩＤ「Ｆ０１」で識別されるフェーダには、制御するチャンネルとして「２」が割り当てられていることを示している。なお、上述のように、各フェーダに割り当てるチャンネルは、オペレータが任意に設定することができる。チャンネル割当記憶部１２２は、オペレータの操作に応じて、各フェーダとチャンネルの割り当てとを、適宜記憶する。なお、一つのフェーダには、複数のチャンネルが割り当てられてもよい。複数のチャンネルが割り当てられたフェーダは、当該複数のチャンネル（言い換えれば、当該複数のチャンネルに対応する各々の機能）に対応する出力値を調整することができる。
【００６８】
図４に戻り、説明を続ける。表示部１３０は、各種情報を表示するための表示装置であり、例えば、液晶モニタやＬＥＤモニタ等のディスプレイにより実現される。例えば、表示部１３０は、後述する照明制御部１５４による制御に従って、制御装置１００が各照明機器を制御する状況を表示する。
【００６９】
操作部１４０は、オペレータからの操作を受付ける入力装置であり、例えば、フェーダやボタン等といった入力装置により実現される。なお、表示部１３０がオペレータからの操作を受付けることができるタッチパネルにより実現される場合は、表示部１３０と操作部１４０とは、一体の装置として実現されていてもよい。実施形態では、操作部１４０は、フェーダＦ０１、フェーダＦ０２、・・・、といった複数のプリセットフェーダと、フェーダ用表示部１４５とを有する。
【００７０】
制御部１５０は、各種の処理手順などを規定したプログラム及び所要データを格納するための内部メモリを有し、これらによって種々の処理を実行するが、特に本発明に密接に関連するものとして、受付部１５１、割当部１５２、登録部１５３、照明制御部１５４、送信部１５５を有する。
【００７１】
受付部１５１は、各種情報を受け付ける。例えば、受付部１５１は、ＤＭＸノード２０を介して、各照明機器を制御するためのチャンネルに関する情報を受け付ける。具体的には、受付部１５１は、チャンネルに関する情報として、チャンネルによって制御される機能に関する情報であって、照明機器の明かりの強さ情報、照明機器の色情報、又は照明機器の動作情報の少なくとも一つの情報を受け付ける。明かりの強さ情報は、インテンシティの数値に対応し、色情報は、Ｒ、Ｇ、Ｂなどの色の割合に対応し、動作情報は、ズーム機能や、パン（Pan）やチルト（Tilt）機能など、照明機器の動作に関する情報に対応する。
【００７２】
また、受付部１５１は、操作部１４０を介して、各フェーダに対するチャンネルの割り当てを受け付ける。また、受付部１５１は、操作部１４０を介して、割当部１５２によって各々のフェーダに割り当てられた各々のチャンネルについて、割り当てるチャンネルの変更要求を受け付ける。
【００７３】
また、受付部１５１は、登録部１５３によって登録された設定情報の読み出し要求を受け付ける。具体的には、受付部１５１は、各フェーダへのチャンネルの割り当てに関する読み出しを受け付ける。また、受付部１５１は、各フェーダに割り当てるチャンネルの機能の指定を受け付ける。例えば、図２に示したように、オペレータが各フェーダにズームの機能のみを割り当てることを所望した場合に、受付部１５１は、操作部１４０を介して、かかる割り当てに関する指定を受け付ける。受付部１５１は、受け付けた情報を各処理部に送信し、各処理を実行させる。
【００７４】
割当部１５２は、受付部１５１によって受け付けられた情報に基づいて、チャンネルに対応した機能の出力値を調整するためのフェーダの各々に、チャンネルを割り当てる。具体的には、割当部１５２は、受け付けた機能に関する情報に基づいて、各フェーダに対して、内部処理的にチャンネルの割り当てを行う。例えば、割当部１５２は、オペレータによる操作を受けて、オペレータが所望する機能を実現するためのチャンネルを、オペレータが所望するフェーダに割り当てる。すなわち、割当部１５２は、ＤＭＸノード２０に送信する制御情報に関する制御を、任意に各フェーダへ割り当てることができる。
【００７５】
例えば、割当部１５２は、もともとチャンネル１に対応していたフェーダＦ０１に対して、チャンネル「２」を割り当てることができる。このとき、フェーダＦ０１は、チャンネル「２」が割り当てられることになるため、オペレータによってフェーダＦ０１が操作された場合には、制御装置１００は、チャンネル「２」に対応する機能を制御する制御情報を送信することになる。すなわち、フェーダＦ０１が操作された場合には、制御装置１００は、チャンネル「２」に対応する出力値が増加した制御情報を生成し、チャンネル「２」に対応した機能を照明機器に実行させるような制御情報をＤＭＸノード２０に送信することになる。
【００７６】
なお、割当部１５２は、図２に示したように、チャンネルに対応する機能の指定を受けて、チャンネルをフェーダに割り当てるようにしてもよい。すなわち、割当部１５２は、受付部１５１によって受け付けられた、チャンネルによって制御される機能の指定を受けて、フェーダの各々に、当該機能に対応する制御チャンネルを割り当てる。これにより、割当部１５２は、例えば図２で示したように、指定された機能のみを各フェーダの割り当てることができる。
【００７７】
なお、割当部１５２は、フェーダにチャンネルを割り当てる際に、照明機器を適切に制御するよう、所定の処理を行うようにしてもよい。例えば、チャンネル１の機能が割り当てられているフェーダＦ０１に対して、割当部１５２が、チャンネル２の機能を割り当てる処理を実行したとする。このとき、フェーダＦ０１の位置が、所定の出力を行う位置にあったとする。例えば、フェーダＦ０１が、１００％の出力を行う位置（すなわち、フェーダ可動範囲の最も上の位置）にあったとすると、チャンネル２に対応する制御情報が照明機器に出力されてしまい、照明の急激な変化を招く可能性がある。
【００７８】
このため、割当部１５２は、所定の処理として、チャンネルの割り当てを行った直後は、フェーダの位置によらず、割り当てられたチャンネルに対応する出力値を一定に保つような処理を行ってもよい。この場合、照明制御部１５４は、例えば、割り当てられる元のフェーダの位置に、割り当てられた後のフェーダの位置が一致したこと等を認識した後に、フェーダによる操作を受け付けるようにしてもよい（すなわち、オペレータは、チャンネルが割り当てられる前のフェーダ位置と、チャンネルが割り当てられた後のフェーダ位置とを一致させた後に、チャンネルが割り当てられた後のフェーダを用いて制御が可能となる）。
【００７９】
また、割当部１５２は、図１に示したように、受付部１５１によって割り当ての変更要求が受け付けられた場合に、各々の所定のフェーダの次の順序のフェーダにずらして、各々のチャンネルを新たな各々の操作部に割り当てるようにしてもよい。また、割当部１５２は、受付部１５１によって変更要求が受け付けられた場合に、特定のフェーダについてチャンネルを変更しない設定を受けている場合には、特定のフェーダに割り当てられたチャンネルについては変更せずに、特定のフェーダに新たに割り当てるべきチャンネルについては、特定のフェーダの次の順序のフェーダに割り当てるようにしてもよい。
【００８０】
登録部１５３は、各種情報を登録する。例えば、登録部１５３は、各照明機器に対応するチャンネルに関する情報をチャンネル情報記憶部１２１に登録する。また、登録部１５３は、例えばオペレータによる入力操作に従って、割当部１５２によって各フェーダに割り当てられたチャンネルとフェーダの対応付けを、チャンネル割当記憶部１２２に登録する。また、登録部１５３は、各フェーダに割り当てたチャンネルについて、設定情報として所定の記憶領域に登録するようにしてもよい。この場合、割当部１５２は、予め登録された各チャンネルの割り当て情報等を設定情報として任意に読み出して、割当チャンネルの割り当てを各フェーダに行うことができる。
【００８１】
照明制御部１５４は、照明機器を制御する処理を実行する。具体的には、照明制御部１５４は、操作部１４０から入力される情報に基づいて、各照明機器の制御を行うための制御情報の生成を行う。具体的には、照明制御部１５４は、操作部１４０に係るフェーダＦ０１が操作された場合には、フェーダＦ０１に割り当てられたチャンネルに対応する機能を実行させるよう、照明機器への制御情報を生成する。そして、照明制御部１５４は、生成した制御情報を送信部１５５へ送り、制御情報をＤＭＸノード２０に送信させる。
【００８２】
送信部１５５は、各種情報を送信する。例えば、送信部１５５は、照明制御部１５４によって生成された制御情報をＤＭＸノード２０に送信する。
【００８３】
［割り当て処理のバリエーション］
上記の例では、制御装置１００は、物理的に操作可能な操作部であるフェーダに、チャンネルを割り当てる例について説明した。しかし、制御装置１００は、フェーダに限らず、フェーダに対応する機能を有する操作部にチャンネルを割り当ててもよい。この点について、図７を用いて説明する。
【００８４】
図７は、第１の実施形態に係る制御装置１００の一例を示す図（３）である。図７では、制御装置１００が、表示部１３０に表示された仮想的なフェーダ（以下、「仮想フェーダ」と表記する場合がある）にチャンネルを任意に割り当てる処理を行っている例を示している。
【００８５】
例えば、図７に示す表示領域１６２及び表示領域１６３は、図２に示すフェーダ用表示部１４５に対応し、各仮想フェーダに対応するチャンネルを示している。仮想フェーダは、表示部１３０に表示されるエンコーダであり、プリセットフェーダと同様の機能を実現する。なお、仮想フェーダに割り当てられたチャンネルは表示領域１６２に表示される一方、仮想フェーダそのものの番号は、例えば表示領域１６４に表示される。
【００８６】
オペレータは、例えば操作領域１６１に表示された各項目を選択することにより、仮想フェーダに割り当てるチャンネルを変更することができる。例えば、オペレータが、図７に示す「ＩＮＴＥＮＳＩＴＹ」を選択した場合には、割当部１５２は、仮想フェーダに、Ｉ（Intensity）の機能を有するチャンネルのみを割り当てるような処理を行ってもよい。
【００８７】
このように、制御装置１００がチャンネルを任意に割り当てる対象は、物理的に操作可能なプリセットフェーダに限られず、プリセットフェーダと同様の機能を有する操作部（例えば、画面上に表示される仮想フェーダ等のエンコーダ）であってもよい。
【００８８】
［第１の実施形態の処理フロー］
次に、制御装置１００が、各フェーダに各チャンネルを割り当てる処理のフローについて説明する。図８は、第１の実施形態に係る制御装置１００の処理の一例を説明するフローチャートである。まず、制御装置１００は、自装置で制御する照明機器を設定する（ステップＳ１０１）。具体的には、制御装置１００は、照明機器のＤＭＸアドレスを特定することにより、制御する照明機器を設定する。そして、制御装置１００は、制御する照明機器等のチャンネルの情報を受け付けるとともに、チャンネルの情報を登録する（ステップＳ１０２）。続いて、制御装置１００は、登録したチャンネル情報に基づいて、フェーダにチャンネルを割り当てる（ステップＳ１０３）。そして、制御装置１００は、割り当てた設定を登録する（ステップＳ１０４）。
【００８９】
［第２の実施形態］
次に、第２の実施形態について説明する。第１の実施形態では、制御装置１００が、照明機器を制御するためのチャンネルを任意にフェーダに割り当てる処理について説明した。第２の実施形態では、制御装置２００は、フェーダに割り当てるチャンネルとして仮想制御チャンネルという概念を用いる。
【００９０】
図９を用いて、第２の実施形態に係る処理について説明する。図９は、第２の実施形態に係る処理の一例を示す概念図である。図９には、第２の実施形態に係る制御装置２００が実行する処理についての概要を示している。図９に示すように、制御装置２００は、仮想制御チャンネルをフェーダＦ０１、Ｆ０２及びＦ０３に割り当てる処理を実行する。
【００９１】
第２の実施形態において、仮想制御チャンネルとは、単独もしくは複数のチャンネルに対応した機能を任意に設定可能な仮想的なチャンネルを示す。例えば、図９において、制御装置２００が受け付けたＤＭＸチャンネル１は、照明機器ＰＡＲ０１の色情報Ｒを調整するチャンネルであるとする。また、ＤＭＸチャンネル２は、照明機器ＰＡＲ０１の色情報Ｇを調整するチャンネルであるとする。また、ＤＭＸチャンネル３は、照明機器ＰＡＲ０１の色情報Ｂを調整するチャンネルであるとする。このとき、制御装置２００は、ＤＭＸチャンネル１から３までの機能を組み合わせることにより、仮想制御チャンネルＣＨ０１を設定することができる。すなわち、仮想制御チャンネルＣＨ０１は、上記ＤＭＸチャンネル１から３の機能を所定の割合で含み、それぞれの機能を実行可能に設定されるチャンネルである。
【００９２】
ＤＭＸチャンネル１が照明機器ＰＡＲ０１の色情報Ｒを調整するチャンネルである場合、ＤＭＸチャンネル１とは、言い換えれば、照明機器ＰＡＲ０１の色情報Ｒを「２５５」の指数で調整するチャンネルであるといえる。例えば、ＤＭＸチャンネル１が１００％で出力された場合に、照明機器ＰＡＲ０１の色情報Ｒは、最大値である「２５５」の値に制御される。
【００９３】
仮想制御チャンネルでは、このような色の種別情報とともに、色の指数値についても任意に設定可能である。例えば、図９に示すように、仮想制御チャンネルＣＨ０１には、色情報Ｒの指数として「１５４」が設定され、色情報Ｇの指数として「２０５」が設定され、色情報Ｂの指数として「５０」が設定されている。そして、仮想制御チャンネルＣＨ０１は、フェーダＦ０１に割り当てられている。
【００９４】
この場合、フェーダＦ０１が１００％で出力された場合、制御装置２００から送信される制御情報は、照明機器ＰＡＲ０１の色情報Ｒを「１５４」に、色情報Ｇを「２０５」に、色情報Ｂを「５０」に、それぞれ制御する制御情報となる。このことは、オペレータが、３本のフェーダを用いて、１本目のフェーダを照明機器ＰＡＲ０１の色情報Ｒを「１５４」に制御する位置に、２本目のフェーダを照明機器ＰＡＲ０１の色情報Ｇを「２０５」に制御する位置に、３本目のフェーダを照明機器ＰＡＲ０１の色情報Ｂを「５０」に制御する位置に動かした場合と、同じ制御情報を照明機器ＰＡＲ０１に送信することを意味する。
【００９５】
すなわち、制御装置２００によれば、オペレータは、実際には３本のフェーダを用いて、それぞれのフェーダ位置を調整しなければ作成できない色のバランスを、１本のフェーダのみを操作することのみで実現することができる。制御装置２００は、予め、このような複数のチャンネルの機能を組み合わせた仮想制御チャンネルの情報を登録することによって、任意のフェーダに仮想制御チャンネルを割り当てることができる。
【００９６】
なお、仮想制御チャンネルＣＨ０２には、色情報Ｒの指数として「１７３」が設定され、色情報Ｇの指数として「２１６」が設定され、色情報Ｂの指数として「２３０」が設定されている。そして、仮想制御チャンネルＣＨ０２は、フェーダＦ０２に割り当てられている。また、仮想制御チャンネルＣＨ０３には、色情報Ｒの指数として「２２１」が設定され、色情報Ｇの指数として「１６０」が設定され、色情報Ｂの指数として「２２１」が設定されている。そして、仮想制御チャンネルＣＨ０３は、フェーダＦ０３に割り当てられている。
【００９７】
この場合も、フェーダＦ０２が１００％で出力された場合、制御装置２００から送信される制御情報は、照明機器ＰＡＲ０１の色情報Ｒを「１７３」に、色情報Ｇを「２１６」に、色情報Ｂを「２３０」に、それぞれ制御する制御情報となる。また、フェーダＦ０３が１００％で出力された場合、制御装置２００から送信される制御情報は、照明機器ＰＡＲ０１の色情報Ｒを「２２１」に、色情報Ｇを「１６０」に、色情報Ｂを「２２１」に、それぞれ制御する制御情報となる。なお、照明機器ＰＡＲ０１側は、それぞれ制御情報として受信する色情報の指数値のうち、例えば最大値を採用するといった処理を行い、それぞれの数値に対応する照明の色を作成する。また、フェーダＦ０１、Ｆ０２又はＦ０３が、それぞれ個別に操作されることにより、照明機器ＰＡＲ０１は、例えば、フェーダＦ０２に割り当てられた仮想制御チャンネルＣＨ０２で登録されていた色を作成したり、フェーダＦ０３に割り当てられた仮想制御チャンネルＣＨ０３で登録されていた色を作成したりすることができる。
【００９８】
このように、制御装置２００は、一つのフェーダに設定するチャンネルとして、一つの機能をもたせた通常のチャンネルではなく、複数のチャンネルの制御情報を組み合わせた仮想的なチャンネルを割り当てることができる。これにより、制御装置２００は、オペレータが所望するバランスの色を出力するような制御情報を簡単に生成することができる。また、オペレータは、一度作成した色のバランスを制御装置２００に登録しておくことにより、任意のタイミングで、所望する色のバランスを呼び出すことができる。このため、オペレータは、過去に作成した色のバランスを簡単に再現することができる。
【００９９】
なお、上記例では、仮想制御チャンネルに色情報を登録する例を示したが、仮想制御チャンネルに登録する機能は、色情報に限られない。すなわち、制御装置２００は、第１の実施形態で説明したような、単独又は複数の機能（言い換えれば、単独又は複数のチャンネル）を任意のフェーダに割り当てる処理も含めて、仮想制御チャンネルという概念を用いた、柔軟な機能の割り当て処理を実現する。例えば、仮想制御チャンネルには、色情報を調整するＤＭＸチャンネルに対応する機能とともに、動作情報（ズームやパンやチルトなど）を調整するＤＭＸチャンネルに対応する機能が組み合わされるなど、任意の設定を行うことができる。この場合、オペレータは、複数の機能が組み合された仮想制御チャンネルが割り当てられた１本のフェーダを操作するのみで、複数の機能を種々に組み合せた態様で照明機器を制御させることができる。
【０１００】
上述してきたような制御を行う制御装置２００について、以下に詳細に説明する。なお、第１の実施形態と共通する内容については、説明を省略する。
【０１０１】
〔制御装置の構成例〕
まず、図１０を用いて、第２の実施形態に係る制御装置２００の機能構成の一例を説明する。図１０は、第２の実施形態に係る制御装置２００の機能構成の一例を示すブロック図である。図１０に示すように、第２の実施形態に係る制御装置２００は、第１の実施形態に係る制御装置１００に対して、色情報記憶部２２２と、チャンネル割当記憶部２２３と、色情報登録部２５３とを、さらに有する。
【０１０２】
色情報記憶部２２２は、仮想制御チャンネルに対応する色情報を記憶する。ここで、図１１に、第２の実施形態に係る色情報記憶部２２２の一例を示す。図１１は、第２の実施形態に係る色情報記憶部２２２に登録される情報の一例を示す図である。図１１に示すように、色情報記憶部２２２に登録される情報には、「色情報ＩＤ」、「色情報」といった項目が含まれ、さらに「色情報」には、「種別」、「指数」といった小項目が含まれる。
【０１０３】
「色情報ＩＤ」は、作成された色情報を識別する識別情報を示す。「色情報」は、作成された色情報を示す。色情報は、「種別」と「指数」とによって特定される。「種別」は、色の種別を示す。色の種別とは、例えば、ＲＧＢ等である。なお、色の種別は、ＣＭＹＫ（Cyan  Magenta  Yellow  Key  Plate）であってもよい。「指数」は、各色の強さの指標値となる数値を示す。
【０１０４】
すなわち、図１１に示す例では、色情報ＩＤ「Ｍ０１」で識別される色情報は、種別が「Ｒ」であり、指数が「１５４」である色情報と、種別が「Ｇ」であり、指数が「２０５」である色情報と、種別が「Ｂ」であり、指数が「５０」である色情報と、を組み合わせた色情報であることを示している。なお、色情報記憶部２２２には、色情報のみならず、色情報に対応する照明機器の識別情報等が記憶されてもよい。例えば、色情報と照明機器とを対応付けて記憶することにより、制御装置２００は、より正確に色情報を再現することができる。すなわち、登録された色情報とは、仮想制御チャンネルの設定の一例と言い換えることもできる。
【０１０５】
次に、チャンネル割当記憶部２２３について説明する。図１２に、第２の実施形態に係るチャンネル割当記憶部２２３の一例を示す。図１２は、第２の実施形態に係るチャンネル割当記憶部２２３に登録される情報の一例を示す図である。図１２に示すように、チャンネル割当記憶部２２３に登録される情報には、「フェーダＩＤ」、「仮想制御チャンネル」、「制御する照明機器」、「機能」といった項目が含まれる。
【０１０６】
「フェーダＩＤ」は、フェーダを識別する識別情報を示す。「仮想制御チャンネル」は、フェーダに割り当てられる仮想制御チャンネルの数値を示す。「制御する照明機器」は、仮想制御チャンネルによって制御する照明機器を示す。「機能」は、仮想制御チャンネルに設定された機能を示す。なお、仮想制御チャンネルに設定される機能は、色情報のみならず、例えば、ズーム機能（Ｚ）等であってもよい。
【０１０７】
すなわち、図１２に示す例では、フェーダＩＤ「Ｆ０１」には、仮想制御チャンネル「ＣＨ０１」が割り当てられている例を示している。そして、仮想制御チャンネルＣＨ０１で実際に制御する照明機器は「Ｒ０１」であり、その機能は、色調整機能であり、具体的には、Ｒが「１５４」、Ｇが「２０５」、Ｂが「５０」で組み合わされた色に照明を調整する機能であることを示している。
【０１０８】
図１０に戻り、説明を続ける。色情報登録部２５３は、色情報を登録する。例えば、色情報登録部２５３は、オペレータから色の作成の要求を受け付けた場合に、所定のＧＵＩ（Graphical  User  Interface）を提供する。そして、色情報登録部２５３は、ＧＵＩを介して、オペレータから色情報の登録を受け付ける。具体的には、色情報登録部２５３は、色の種別と指数値とを組み合わせた情報の入力を受け付け、受け付けた情報によって作成された色情報を色情報記憶部２２２に登録する。なお、第２の実施形態では、割当部１５２も、上記のＧＵＩを用いて、仮想制御チャンネルへの割り当て処理の要求を受け付けるようにしてもよい。
【０１０９】
ここで、図１３及び図１４を用いて、制御装置２００が提供するＧＵＩについて説明する。図１３は、第２の実施形態に係る処理の一例を説明する図（１）である。図１３では、制御装置２００に係る表示部１３０が、色情報を含む、仮想制御チャンネルに関する機能を設定するＧＵＩを表示する例を示している。
【０１１０】
図１３に示す例では、所定の照明機器において、実際の照明機器の制御チャンネルと、仮想制御チャンネルとを対応付ける処理について説明する。例えば、図１３に示す例において、所定の照明機器は、６チャンネル分の制御情報を有する照明機器であるとする。この場合、通常であれば、チャンネル１からチャンネル６までを用いて、照明機器を制御することになる。例えば、制御チャンネル表１７０が示すように、当該照明機器には、ＲＧＢのそれぞれの色調整や、ズーム（Zoom）、ストロボ（Strobe）、カーブ（Curve）等の操作調整に関する機能が、各チャンネルに割り当てられている。
【０１１１】
ここで、制御装置２００は、任意のチャンネルを仮想制御チャンネルとして割り当てることができるため、必ずしも１から６までの制御チャンネルを利用することを要しない。例えば、図１３の仮想制御チャンネル表１７１に示すように、制御装置２００は、仮想制御チャンネルとして、Ｒ、Ｇ、Ｂのそれぞれの色情報を調整する機能を１から３の仮想制御チャンネルに割り当て、ズーム等の機能を仮想制御チャンネルに割り当てないような処理を行うことができる。このようなチャンネルの割り当て処理については、第１の実施形態で説明した処理と同様である。
【０１１２】
続いて、図１４を用いて、仮想制御チャンネルの割り当て処理と、色情報の登録処理について説明する。図１４は、第２の実施形態に係る処理の一例を説明する図（２）である。図１４に示すように、色情報登録部２５３は、オペレータの操作に従って、色情報作成表１７２を提供して、オペレータが所望する色情報を作成することができる。例えば、色情報登録部２５３は、オペレータがＲＧＢのそれぞれの指数を調整したり、明るさを調整したりする操作を受け付ける。そして、色情報登録部２５３は、オペレータが色情報の登録を要求した場合に、当該色情報に対する情報を色情報記憶部２２２に登録する。
【０１１３】
さらに、割当部１５２は、登録された色情報の登録を受け付ける。図１４の仮想制御チャンネル表１７１が示すように、例えば、割当部１５２は、仮想制御チャンネル４〜７に、新たに作成された色情報（図１４では、「Ｍｉｘ  Ｃｏｌｏｒ」と表示される）の割り当てを受け付ける。この場合、割当部１５２は、仮想制御チャンネル１に対応するフェーダには、照明機器のＲの色情報を調整する機能を割り当てる。一方で、割当部１５２は、仮想制御チャンネル４に対応するフェーダには、照明機器のＲＧＢについて、予め登録された色のバランスで調整する機能を割り当てる。このように、制御装置２００は、オペレータが視覚的に色情報の登録や、仮想制御チャンネルの割り当てを行い易いＧＵＩを提供する。これにより、制御装置２００は、オペレータの操作性を向上させることができる。
【０１１４】
さらに、制御装置２００は、選択する照明機器を示すＧＵＩを提供してもよい。この点について、図１５を用いて説明する。図１５は、第２の実施形態に係る処理の一例を説明する図（３）である。図１５は、制御装置２００によって制御される照明機器を模式的に平面図として表示した例を示している。
【０１１５】
例えば、図１５では、「ＵＨ１」〜「ＵＨ３」、「ＳＬ１」〜「ＳＬ３」で示される各バトン装置のそれぞれにＤＭＸノードが設置されており、各ＤＭＸノードが８つのポートを有する例について記載するものとする。
【０１１６】
図１５に示すように、表示部１３０は、予め登録された各ＤＭＸノードの設置位置を模式的に示す画面を表示する。例えば、表示部１３０は、予め登録された照明機器に対応するポートを特定することで、かかるＧＵＩを作成する。表示部１３０は、例えば、オペレータの指Ｔ０１が、照明機器ＰＡＲ０１が接続されたポートを模式的に示す位置を選択した場合は、照明機器ＰＡＲ０１について仮想制御チャンネルの設定を行う、図１３及び図１４で示した画面に表示を遷移させる。これにより、制御装置２００を扱うオペレータは、視覚的に照明機器に関する仮想制御チャンネルの割り当てを行うことができるので、効率良く照明機器の制御に関する設定を行うことができる。
【０１１７】
次に、制御装置２００が、仮想制御チャンネルを設定する処理、及び、仮想制御チャンネルを割り当てる処理のフローについて説明する。図１６は、第２の実施形態に係る制御装置２００の処理の一例を説明するフローチャート（１）である。
【０１１８】
図１６に示すように、制御装置２００は、仮想制御チャンネルの設定の要求を受け付ける（ステップＳ２０１）。これを受けて、制御装置２００は、仮想制御チャンネルの設定を行うためのＧＵＩを提供する（ステップＳ２０２）。そして、制御装置２００は、ＧＵＩを介して、仮想制御チャンネルの設定を受け付ける。続いて、制御装置２００は、設定された仮想制御チャンネルに関する情報を所定の記憶部に登録する（ステップＳ２０３）。
【０１１９】
次に、図１７を用いて、登録された仮想制御チャンネルをフェーダに割り当てる処理のフローについて説明する。図１７は、第２の実施形態に係る制御装置２００の処理の一例を説明するフローチャート（２）である。
【０１２０】
図１７に示すように、制御装置２００は、仮想制御チャンネルの設定の読み出しを受け付ける（ステップＳ３０１）。そして、制御装置２００は、登録されていた仮想制御チャンネルの設定情報を読み出す（ステップＳ３０２）。続いて、制御装置２００は、フェーダへの仮想制御チャンネルの割当を受け付ける（ステップＳ３０３）。これにより、制御装置２００は、各フェーダにおいて、仮想制御チャンネルに設定された機能を実行することができる。
【０１２１】
以上、本発明の実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態は、発明の範囲や要旨に含まれると同様に、特許請求の範囲に記載された発明とその均等の範囲に含まれるものである。また、これらの実施形態は、処理内容を矛盾させない範囲で適宜組み合わせることが可能である。
【符号の説明】
【０１２２】
１  照明システム
２０  ＤＭＸノード
２１  通信制御部
２２、２２ａ〜２２ｄ  ポート
１００、２００  制御装置
１１０  通信部
１２０  記憶部
１２１  チャンネル情報記憶部
１２２、２２３  チャンネル割当記憶部
１３０  表示部
１４０  操作部
１５０  制御部
１５１  受付部
１５２  割当部
１５３  登録部
１５４  照明制御部
１５５  送信部
２２２  色情報記憶部
２５３  色情報登録部
【図１】
0006724538.tif 000002
【図２】
0006724538.tif 000003
【図３】
0006724538.tif 000004
【図４】
0006724538.tif 000005
【図５】
0006724538.tif 000006
【図６】
0006724538.tif 000007
【図７】
0006724538.tif 000008
【図８】
0006724538.tif 000009
【図９】
0006724538.tif 000010
【図１０】
0006724538.tif 000011
【図１１】
0006724538.tif 000012
【図１２】
0006724538.tif 000013
【図１３】
0006724538.tif 000014
【図１４】
0006724538.tif 000015
【図１５】
0006724538.tif 000016
【図１６】
0006724538.tif 000017
【図１７】
0006724538.tif 000018